(57)【要約】【課題】簡便な加工および取付方法によって配設でき、かつ、信号線を確実に接続し信号伝送を確保できる、本体およびバンド相互間の配線構造を備えた電子機器を提供すること。【解決手段】互いに回動可能に連結された本体１０および複数の駒部材２０のうち、互いに連結される２つの部材の間には、各部材の内部に渡る信号線５０が配設され、各部材の内部には、所定広さの表面に導通部が形成された導通部材１５と、この導通部材１５の表面と所定間隔離れて対向する面を有する対向部材１３とが配置され、信号線５０の端部側に形成された湾曲部の信号線側導通部が導通部材１５の導通部に当接した状態で、湾曲部が導通部材１５および対向部材１３の間隔部分に挟持される。従って、加工や取り付けに手間が掛からずに信号線５０と導通部材１５との接続を確実にできる。【選択図】　図３
2004028835.tif 000002
【特許請求の範囲】
【請求項１】
本体と、複数の駒部材を互いに連結して形成されるバンドとを備えて構成される電子機器であって、
前記本体および前記複数の駒部材は、互いに回動可能に連結され、
前記本体および前記複数の駒部材の中から選択した互いに連結される２つの部材には、これらの各部材同士が対向する互いの端面から、各部材内部まで貫通する貫通孔が設けられ、これらの貫通孔を通して前記各部材の内部に渡る信号線が配設され、
前記各部材のうち、少なくとも一方の内部には、所定広さの表面を有し、この表面に導通部が形成された導通部材と、この導通部材の表面と所定間隔離れて対向する面を有する対向部材とが配置され、
前記信号線の端部側には、当該端部側が前記導通部材および前記対向部材の間隔部分に挿入された状態において、当該信号線の一部が前記導通部材の導通部に当接し、かつ、当該信号線の他の一部が前記対向部材に当接する湾曲部が形成され、
前記導通部材の導通部に当接する前記信号線の一部には、信号線側導通部が設けられ、
前記湾曲部は、前記導通部に前記信号線側導通部を当接した状態で、前記導通部材および前記対向部材の間隔部分に挟持されていることを特徴とする電子機器。
【請求項２】
請求項１に記載の電子機器において、
前記２つの部材のうち、少なくとも一方の内部には、電子回路基板が配置され、
この電子回路基板により前記導通部材が構成されていることを特徴とする電子機器。
【請求項３】
請求項２に記載の電子機器において、
前記２つの部材のうち、前記電子回路基板が配置された部材の内部には、表示部材が配置され、
この表示部材により前記対向部材が構成されていることを特徴とする電子機器。
【請求項４】
請求項３に記載の電子機器において、
前記表示部材と前記電子回路基板とは、少なくとも前記貫通孔に対向する側において、互いの端縁に沿って設けられた連結部材により連結され、
前記信号線は、前記連結部材に形成された隙間を通して前記間隔部分に挿入されていることを特徴とする電子機器。
【請求項５】
請求項１または請求項２に記載の電子機器において、
前記２つの部材のうち少なくとも一方には、当該各部材の内部と外部とを区切る隔壁部材が配置され、
この隔壁部材により前記対向部材が構成されていることを特徴とする電子機器。
【請求項６】
本体と、複数の駒部材を互いに連結して形成されるバンドとを備えて構成される電子機器であって、
前記本体および前記複数の駒部材は、互いに回動可能に連結され、
前記本体および前記複数の駒部材の中から選択した互いに連結される２つの部材には、これらの各部材同士が対向する互いの端面から、各部材内部まで貫通する貫通孔が設けられ、これらの貫通孔を通して前記各部材の内部に渡る信号線が配設され、
前記各部材のうち少なくとも一方の内部には、挟持部を有する導通端子が配置され、
前記信号線の端部側は、前記挟持部に挟持されていることを特徴とする電子機器。
【請求項７】
請求項６に記載の電子機器において、
前記信号線の前記挟持部に挟持される端部側には、当該信号線と略同軸とされた金属棒が固定され、
前記金属棒が、前記挟持部に挟持されていることを特徴とする電子機器。
【請求項８】
請求項１ないし請求項７のいずれかに記載の電子機器において、時刻を表示する時刻表示手段を備えた時計であることを特徴とする電子機器。
【発明の詳細な説明】
【０００１】
【発明の属する技術分野】
本発明は、バンドを備えた電子機器に係り、特に電子機器本体とバンドとの間で信号伝送が可能な電子機器の改良に関する。
【０００２】
【背景技術】
従来より、身体の一部分、特に腕に装着する腕時計タイプの電子機器において、装着用のバンドに２次電池や発電装置等が内蔵され、同じくバンドに内蔵された導電線により電子機器本体との間で電気導通を可能とした電子機器が知られている。
このような電子機器として、例えば、時計本体と金属製の複数の駒部材を連結して構成されるバンドとを備え、このバンドには導電線が複数の駒部材に渡って配設されている腕時計がある。すなわち、バンドを構成する複数の駒部材を回動可能に連結する軸にはパイプが使用されており、このパイプ内に導電線を挿通することによって、導電線が複数の駒部材の間を蛇行状に連続的に配設されている。
【０００３】
このようなバンドと時計本体との間において、バンドの端部に連結されるエンドピースから、時計本体に向かってエンドピースを貫通した導電線の先端が突出し、時計本体の側面に形成された導通孔に、導電線の先端がパッキングとともに圧入され、導電線と腕時計の回路端子とが当接されることによって、電気導通がされている。従って、導電線の先端をパッキングとともに時計本体に圧入するだけで、導通線と回路端子とが導通されるため、導通のためのハンダ付けや鑞付け等が不要で、取り付けが簡単にできる。
【０００４】
また、時計本体とバンドとを電気導通するための上記とは異なる方法として、導電線の先端を時計本体に内蔵された回路基板に接続された弾性端子片に圧接する方法が提案されている。この方法によると、導電線の屈曲に起因する長さ方向の変位が、弾性端子片の弾性により吸収される。すなわち、導電線に引張り力や圧縮力が作用し、時計本体に対して導電線が抜け出し方向や押し込み方向に多少ずれた場合であっても、弾性端子片が導電線の移動に追従して変形することで、導電線と弾性端子片との接触状態を維持でき、導電線と回路基板との導通を確実にできる。
【０００５】
【発明が解決しようとする課題】
しかしながら、上述した導電線の先端を回路端子に当接するだけの方法では、エンドピースの移動や回動によって、時計本体に対して導電線が抜け出し方向にずれると、導電線と回路端子との接触状態を維持できない場合がある。また、導電線の先端を弾性端子片に圧接する方法においても、弾性端子片の可動範囲は導電線を圧接する際の押し込み距離に限られるため、それ以上に導電線がずれた場合には接触状態を維持できず、導電線と回路基板との導通が確保できないという問題がある。
さらに、弾性端子片に導電線を圧接した状態においては、弾性端子片が接続された回路基板に常時応力が作用するため、回路基板にはこの応力により変形しないだけの剛性および強度が必要となり、回路基板を厚くするあるいは、弾性端子片の接続部分に補強を施す等の対処が必要となり、回路基板の加工が複雑になるという問題がある。
【０００６】
そこで、本発明の目的は上記問題点に鑑み、簡便な加工および取付方法によって配設でき、かつ、信号線を確実に接続し信号伝送を確保できる、本体およびバンド相互間の配線構造を備えた電子機器を提供することにある。
【０００７】
【課題を解決するための手段】
本発明の電子機器は、本体と、複数の駒部材を互いに連結して形成されるバンドとを備えて構成される電子機器であって、前記本体および前記複数の駒部材は、互いに回動可能に連結され、前記本体および前記複数の駒部材の中から選択した互いに連結される２つの部材には、これらの各部材同士が対向する互いの端面から、各部材内部まで貫通する貫通孔が設けられ、これらの貫通孔を通して前記各部材の内部に渡る信号線が配設され、前記各部材のうち、少なくとも一方の内部には、所定広さの表面を有し、この表面に導通部が形成された導通部材と、この導通部材の表面と所定間隔離れて対向する面を有する対向部材とが配置され、前記信号線の端部側には、当該端部側が前記導通部材および前記対向部材の間隔部分に挿入された状態において、当該信号線の一部が前記導通部材の導通部に当接し、かつ、当該信号線の他の一部が前記対向部材に当接する湾曲部が形成され、前記導通部材の導通部に当接する前記信号線の一部には、信号線側導通部が設けられ、前記湾曲部は、前記導通部に前記信号線側導通部を当接した状態で、前記導通部材および前記対向部材の間隔部分に挟持されていることを特徴とする。
【０００８】
ここで、「信号線」とは、電気信号や磁気信号、光信号等の信号を伝送するもので、具体的には、導電性材料から形成される導電線、例えば、銅や鉄、金、アルミニウム等の材料からより線や単線に形成されたものが含まれる。また、上記導電線に限らず、銅箔等の薄膜状導電性材料をフィルム状の基板上に貼り付け回路を形成した電子回路や磁気回路等の他、光信号を伝送する光ファイバケーブル等が含まれる。
【０００９】
このような本発明では、互いに回動可能に連結された本体と駒部材、または駒部材同士の間に渡って配設される信号線の端部側に形成された湾曲部が、導通部材および対向部材に挟持されることによって、信号線側導通部と導通部材の導通部とが当接した接続状態を維持できるので、信号線と導通部材との導通を確実にできる。この際、信号線の湾曲部を挟持する導通部材および対向部材の互いに対向する面は所定広さを有し、導通部の大きさを適宜設定することによって、信号線の軸方向に力が作用して信号線がずれても、信号線側導通部が導通部材の導通部から外れず、接触状態を維持できるとともに、信号線を挿入する際にも、信号線の位置決め等が容易にできる。さらに、端部側に湾曲部が形成された信号線を各部材に設けられた貫通孔に挿通し、湾曲部を導通部材および対向部材の間隔部分に挿入するだけで信号線を配設できるので、信号線の加工や取り付けに手間が掛からず、容易に加工や取り付けができる。
【００１０】
また、前述の電子機器において、前記２つの部材のうち、少なくとも一方の内部には、電子回路基板が配置され、この電子回路基板により前記導通部材が構成されていることが望ましい。
このようにすれば、電子回路基板上の回路の一部として導通部を形成することができ、この導通部に信号線側導通部が当接することで、他の端子や導通のための部品等を介さず、信号線と電子回路基板の電子回路とが直接導通されるため、部品点数が削減できるとともに、より導通を確実にできる。
【００１１】
さらに、前述の電子機器において、前記２つの部材のうち、前記電子回路基板が配置された部材の内部には、表示部材が配置され、この表示部材により前記対向部材が構成されていることが好ましい。
ここで、「表示部材」とは、ＬＣＤ（Ｌｉｑｕｉｄ　Ｃｒｙｓｔａｌ　Ｄｉｓｐｌａｙ，液晶表示器）や、指針および文字板を備えたアナログ式の表示部等が含まれる。
このようにすれば、導通部材としての電子回路基板と、対向部材としての表示部材とを対向配置し、これらの間隔部分に信号線を挿入し、挟持することによって信号線と電子回路基板の電子回路とが導通されるため、対向部材を別途用意する必要がなく、部品点数をさらに削減できる。
【００１２】
そして、前述の電子機器において、前記表示部材と前記電子回路基板とは、少なくとも前記貫通孔に対向する側において、互いの端縁に沿って設けられた連結部材により連結され、前記信号線は、前記連結部材に形成された隙間を通して前記間隔部分に挿入されていることが望ましい。
ここで、「連結部材」とは、表示部材がＬＣＤであれば電子回路基板とＬＣＤとを連結、導通するために設けられるコネクタを意味し、このコネクタ内に配置された導通線によって電子回路基板の電子回路からの電気信号がＬＣＤに伝達され、ＬＣＤの表示が制御される。そして、コネクタからの導通線とＬＣＤとの接続の簡便さから、通常、コネクタはＬＣＤの端縁に沿って配置され、電子回路基板と連結されている。
【００１３】
このようにすれば、表示部材と電子回路基板とを連結する連結部材が信号線の接続側にあった場合でも、連結部材に設けられた隙間に信号線を通して、連結部材よりも内部側の電子回路基板上の導通部に、信号線が接続されることによって、連結部材よりも外部側で導通する場合と比較し、本体の大きさの中に占める表示部材の表示面の大きさを広げることができる。
なお、表示部材がアナログ式の表示部であれば、「連結部材」は、表示部を地板に固定するために設けられる、外縁部が表示部側に突出した地板の一部分としての固定部を意味する。この際、アナログ式の表示を行うためのムーブメント等を地板上に配置するためのスペースを大きくするため、地板と表示部との固定部は地板の外縁に配置されることが望ましい。従って、上記と同様に、アナログ式の表示部の場合であっても、連結部材よりも内部側で電子回路基板上の導通部に、信号線が接続されることによって、本体の大きさの中に占める表示部材の表示面の大きさを広げることができる。
【００１４】
また、前述の電子機器において、前記２つの部材のうち少なくとも一方には、当該各部材の内部と外部とを区切る隔壁部材が配置され、この隔壁部材により前記対向部材が構成されていることが望ましい。
ここで、「隔壁部材」とは、本体や駒部材の外郭を形成するケースや裏蓋等の部材が含まれ、さらに、本体や駒部材の内部と外部とを区切る部材であればケースや裏蓋以外の部材であってもよい。
このようにすれば、本体および駒部材のうちの一方において、導通部材と対向部材としての隔壁部材とが対向配置され、この間隔部分に信号線を挟持することによって、信号線と導通部とを接続することができ、対向部材を別途用意する必要がなく、部品点数をさらに削減できる。また、隔壁部材が裏蓋である場合、裏蓋を外すだけで信号線の点検、交換ができ、メンテナンス性を向上できる。
【００１５】
また、本発明の電子機器は、本体と、複数の駒部材を互いに連結して形成されるバンドとを備えて構成される電子機器であって、前記本体および前記複数の駒部材は、互いに回動可能に連結され、前記本体および前記複数の駒部材の中から選択した互いに連結される２つの部材には、これらの各部材同士が対向する互いの端面から、各部材内部まで貫通する貫通孔が設けられ、これらの貫通孔を通して前記各部材の内部に渡る信号線が配設され、前記各部材のうち少なくとも一方の内部には、挟持部を有する導通端子が配置され、前記信号線の端部側は、前記挟持部に挟持されていることを特徴とする。
【００１６】
ここで、「導通端子」とは、導電性材料から形成される端子であって、電子回路や電池、発信器等の電子部品に接続され、これらの電子部品と信号線との間を電気的に導通し、電力や電気信号等の伝達を行うものを意味する。
【００１７】
このような本発明では、互いに回動可能に連結された本体と駒部材、または駒部材同士の間に渡って配設される信号線の端部側が、導通端子の挟持部に挟持されることによって、信号線と導通端子とが接続状態を維持できるので、信号線の接続を確実にできる。また、信号線の端部側が、信号線の軸方向に関して適宜設定した長さに形成されることによって、信号線がその軸方向にずれても、信号線の端部側が導通端子の挟持部から外れず、接触状態を維持できるとともに、信号線を配設する際の位置決めが容易にできる。さらに、信号線の端部側を導通端子の挟持部に挟持されるように配設するだけでよいので、信号線の加工や取り付けに手間が掛からず、簡便な方法で加工や取り付けができる。
【００１８】
また、前記信号線の前記挟持部に挟持される端部側には、当該信号線と略同軸とされた金属棒が固定され、前記金属棒が、前記挟持部に挟持されていることが望ましい。
このようにすれば、例えば、銅線等のより線で形成された信号線では、信号線の剛性が小さく導通端子の挟持部に配設しづらい場合があるが、信号線の端部側に金属棒を取り付けることによって、挟持部に金属棒を差し込むだけで挟持、固定させることができ、信号線をより簡便に取り付けできる。
【００１９】
一方、前述の電子機器は、時刻を表示する時刻表示手段を備えた時計であることを特徴とする。
このような本発明によれば、時刻を表示する時計において、前述した各効果と同様の効果を奏することができる。さらに、時計の電源として使用される電池を駒部材側に配置し、本体としての時刻表示装置側と電気導通することによって、時計の構成要素の中でも特にサイズが大きな電池を時刻表示装置から分離することができるので、時刻表示装置の大きさを小さく、特に厚さを薄くできる。
【００２０】
【発明の実施の形態】
以下、本発明の実施の形態を図面に基づいて説明する。なお、以下の説明にあたって、同一構成要件については、同一符号を付し、その説明を省略もしくは簡略化する。
図１ないし図５には、本発明の第１実施形態に係る電子機器としての時計１が示され、図６には、第２実施形態に係る時計６０の要部が示され、図７ないし図９には、第３実施形態に係る時計７０が示されている。
【００２１】
〔第１実施形態〕
以下、本発明の第１実施形態に係る電子機器としての時計１について説明する。
図１ないし図３には、それぞれ時計１の一部を示す斜視図、正面図および断面図が示されている。図１ないし図３において、時計１は、本体としての金属製の胴１０により外郭が形成された表示装置２と、複数の駒部材２０を互いに一方方向に連結して形成されたバンド３とを備えている。表示装置２は、その表面側に時刻表示手段としての時刻表示部１１を備え、胴１０の側面側に各種機能を操作する４つの操作ボタン１２を有している。図３に示すように、時刻表示部１１は、ディジタル表示によって時刻等を表示する表示部材としてのＬＣＤ（Ｌｉｑｕｉｄ　Ｃｒｙｓｔａｌ　Ｄｉｓｐｌａｙ，液晶表示器）１３と、このＬＣＤ１３の表面を覆って胴１０に固定される風防としてのガラス１４とを備えている。また、ＬＣＤ１３の背面側に所定間隔を介して、ＬＣＤ１３と接続され表示を制御する電子回路基板１５が配置されている。そして、胴１０の裏面側には、表示装置２内部のＬＣＤ１３や電子回路基板１５を保護し、気密性や水密性を維持する金属製の裏蓋１６が取り付けられている。
【００２２】
バンド３は、複数の金属製駒部材２０が、ばね棒２１を介して互いに回動可能に連結されて構成されている。このばね棒２１は、図示しないが、筒状に形成されたパイプ部と、このパイプ部の端部に進退可能に設けられたピンと、このピンを外側に付勢するばねとを備えたものとなっている。複数の金属製駒部材２０のうち、端部に配置される駒部材は、端部駒部材３０とされ、この端部駒部材３０を胴１０の対向する両側部に連結することで、バンド３が表示装置２に取り付けられる。また、図示しないが、表示装置２の両側部に連結されたバンド３の他端側は、Ｚ字形に折り畳み可能な中留等を備えた固定具を介して連結され、全体環状に形成されている。時計１を腕へ装着する際には、中留等によってバンド３を良好な装着感が得られる長さに調節し、腕を挿通し固定具を固定して装着することとなる。
【００２３】
端部駒部材３０を除く複数の駒部材２０は、それぞれ互いに連結される連結方向の一方側に凸部２０Ａと、他方側に凹部２０Ｂとを有する。また、端部駒部材３０は、連結される駒部材２０の方向に向かって凸部２０Ａが形成されている。これら互いに連結される駒部材２０同士および端部駒部材３０は、互いの凸部２０Ａと凹部２０Ｂとを凸凹嵌合した状態で、ばね棒２１の先端を凹部２０Ｂの挿通孔２１Ａに挿入することで、ばね棒２１の軸回りに互いに回動可能に連結される。さらに、端部駒部材３０は、胴１０の側面からバンド３の方向に２本ずつ延びて形成された取付部（ラグ）１７に側部を挟まれる状態で、胴１０に取り付けられる。すなわち、取付部１７に固定された軸材１８の先端が端部駒部材３０の側面に挿入されることで、端部駒部材３０が軸材１８の軸回りに回動可能に連結される。軸材１８は、図示しないが、取付部１７側に固定されたパイプ部と、このパイプ部の端部駒部材３０側に進退可能に設けられたピンと、このピンを端部駒部材３０側に付勢するばねとを備えたものとなっている。
【００２４】
端部駒部材３０は、図３に示すように、表示装置２の時刻表示部１１と略同一面である表面側の駒本体３１と、裏面側の駒裏蓋３２とで中空状に形成されている。この中空部は、本実施形態においては、２個の電池４を収納する電池収納部３３とされ、図示しないプラスおよびマイナス端子やこれらの端子に電池４を押圧するばね部材等が配置されている。駒裏蓋３２は、駒本体３１に対して着脱可能に取り付けられており、すなわち、図示しないねじ止めや嵌め込み等の、電池収納部３３に対する防水性を確保できる方法で取り付けられている。また、端部駒部材３０と表示装置２の本体としての胴１０との間には、電池収納部３３から胴１０内部に渡って信号線５０およびこの信号線５０を覆って筒状部材４１が配置されている。
【００２５】
図４は、表示装置２および端部駒部材３０の連結箇所を拡大して示す要部断面図であり、図５は、当該連結箇所における表示装置２側の概略構成を示す分解斜視図である。
図４および図５において、胴１０および駒本体３１の各部材同士の互いに対向する端面１０Ａ、３１Ａには、互いの連結方向に沿った略同軸上に、これら各部材内部まで貫通する貫通孔１０Ｂ，３１Ｂが設けられている。これらの貫通孔１０Ｂ，３１Ｂを通して、各部材内部に渡って信号線５０が配設されている。信号線５０は、銅線のより線に絶縁被覆を施した導電線である。そして、信号線５０は、電池収納部３３の図示しない電極端子と、表示装置２の電子回路基板１５上の導通部１５Ａとを導通している。ここで、信号線５０は図中１本として示しているが、２本または３本以上配設されていてもよく、例えば、２本の信号線５０が配設された場合、それぞれがプラスおよびマイナスの導通線として機能する。なお、信号線５０は、銅以外にも鉄や金、アルミニウム等の導電性材料からより線や単線に形成されたものであってもよい。
【００２６】
信号線５０の導通部１５Ａに導通される端部側は、ＬＣＤ１３と電子回路基板１５とを連結する連結部材としてのコネクタ１９に形成された隙間部１９Ａを通して、対向部材としてのＬＣＤ１３および導通部材としての電子回路基板１５の間隔部分に挿入されている。この信号線５０の端部側には、信号線５０の軸方向と交差し、ＬＣＤ１３の側へ向かって突出する湾曲部５１が形成され、この湾曲部５１がＬＣＤ１３の裏面１３Ａに当接されている。さらに、信号線５０の先端は絶縁被覆が除去された信号線側導通部としての導通端５２とされ、この導通端５２が電子回路基板１５上の導通部１５Ａに当接されている。すなわち、信号線５０の一部としての導通端５２が導通部１５Ａに当接され、他の一部としての湾曲部５１の突出側がＬＣＤ１３の裏面１３Ａに当接されている。そして、信号線５０が湾曲形成されたことによるばね性を利用して、湾曲部５１がＬＣＤ１３および電子回路基板１５に挟持され、導通端５２が導通部１５Ａに圧接、接続されている。従って、この信号線５０によって、電池４と電子回路基板１５の電子回路とが電気的に導通されている。ここで、電子回路基板１５上の導通部１５Ａの信号線５０の軸方向に関する大きさは、導通端５２の大きさに対して十分に大きく形成されている。
【００２７】
また、胴１０および駒本体３１の各部材に設けられた貫通孔１０Ｂ，３１Ｂには、ＮＢＲ（アクリロニトリル‐ブタジエン‐ゴム）等のゴム材料から形成された筒状部材４１が挿入され、信号線５０を覆って胴１０および駒本体３１の各部材間に渡って配置されている。この筒状部材４１は、胴１０および駒本体３１の連結方向に延びて、中空筒状の略円筒形状に形成され、筒状部材４１の外径は、貫通孔１０Ｂ，３１Ｂの内径と略同一とされている。また、筒状部材４１の両端部には、筒状部材４１の径方向外側へ向かって突出し、貫通孔１０Ｂ，３１Ｂの内径よりも外径が大きい端部突出部４１Ａが形成されている。これらの端部突出部４１Ａは、貫通孔１０Ｂ，３１Ｂの内部側端縁に当接している。
【００２８】
筒状部材４１の両端部にはそれぞれ、胴１０および駒本体３１の各部材内部側から各部材の端面１０Ａ、３１Ａに向かって、金属製で筒状の固定部材４２が圧入されている。固定部材４２は、略円筒形状に形成され、固定部材４２の外径は、筒状部材４１の内径と略同一とされている。従って、固定部材４２の略円筒形状外周面と、胴１０および駒本体３１の貫通孔１０Ｂ，３１Ｂの内周面とで、筒状部材４１が挟持、固定されている。
これらの筒状部材４１の内周面４１Ｂの内側および固定部材４２の内側を通って、信号線５０が胴１０および駒本体３１の各部材内部に渡って配設されている。
【００２９】
また、端部駒部材３０の駒本体３１表面側で、表示装置２の胴１０に対向する位置には、回動角規制手段としての当接突部３４Ａが形成されている。同様に端部駒部材３０の駒裏蓋３２側で、表示装置２の裏蓋１６に対向する位置には、当接突部３４Ｂが形成されている。当接突部３４Ａ，３４Ｂは、端部駒部材３０および表示装置２が互いに回動した際に、これらの当接突部３４Ａ，３４Ｂに対向する位置の胴１０表面側の端面１０Ａに当接することによって、回動する角度を規制するものである。すなわち、端部駒部材３０および表示装置２は、図４に示すように、連結方向に沿った方向を０度軸として表面側へ１５度から裏面側へ９０度までの１０５度の回動角度に規制されている。
【００３０】
図４，５を参照して、本実施形態の胴１０および駒本体３１の連結部分の取付手順を説明する。
先ず、信号線５０を取り付け前の状態の筒状部材４１および固定部材４２に挿通し、信号線５０の導通部１５Ａに導通される端部側を、コネクタ１９の隙間部１９Ａを通して、ＬＣＤ１３および電子回路基板１５の間隔部分に導入する。そして、この信号線５０の湾曲部５１をＬＣＤ１３の裏面１３Ａに当接させながら、導通端５２を電子回路基板１５上の導通部１５Ａに当接し、信号線５０を電子回路基板１５の電子回路に接続する。
続いて、胴１０の貫通孔１０Ｂに筒状部材４１の一端側の端部突出部４１Ａを貫通孔１０Ｂの内部側端縁１０Ｃよりもさらに内部側まで挿入する。胴１０の内部側から、固定部材４２を筒状部材４１の一端側内に圧入する。
最後に、端部駒部材３０側においても同様に、駒本体３１の貫通孔３１Ｂに筒状部材４１の他端側を挿入し、駒本体３１の内部側から固定部材４２を筒状部材４１の他端側内に圧入する。そして、信号線５０を電池収納部３３の図示しない電極端子に接続して、電池４と電子回路基板１５の電子回路とを電気的に導通可能とする。なお、上述の取付手順は、適宜順序を入れ替えることも可能である。
【００３１】
前述の本実施形態によれば、次のような効果が得られる。
（１）　互いに回動可能に連結された表示装置２と端部駒部材３０との間に渡って配設される信号線５０の端部側に形成された湾曲部５１が、電子回路基板１５およびＬＣＤ１３に挟持されることによって、信号線５０の先端の導通端５２と電子回路基板１５上の導通部１５Ａとが当接した接続状態を維持できるので、信号線５０と電子回路基板１５の電子回路との導通を確実にできる。
【００３２】
（２）　信号線５０の端部側に湾曲部５１を形成し、この湾曲部５１を電子回路基板１５およびＬＣＤ１３の間隔部分に配設するだけでよいので、信号線５０の加工や取り付けに手間が掛からず、電子回路基板１５やＬＣＤ１３にも特別な加工や補強等が不要なので、簡便な方法で加工や取り付けができる。また、信号線５０の湾曲部５１を挟持する電子回路基板１５およびＬＣＤ１３は互いに所定広さの面を有しており、電子回路基板１５の導通部１５Ａが適宜設定された大きさに形成されることによって、信号線５０がその軸方向にずれた場合でも、導通部１５Ａの広さ範囲内であれば導通端５２が導通部１５Ａから外れることがなく、接触状態を良好に維持できる。さらに、信号線５０を配設する際、導通部１５Ａが信号線５０の導通端５２に対して大きく形成されることによって、信号線５０の位置決めが容易にできる。
【００３３】
（３）　ＬＣＤ１３と電子回路基板１５とを連結する連結部材としてのコネクタ１９に形成された隙間部１９Ａに信号線５０を通して、信号線５０の導通端５２を電子回路基板１５上の導通部１５Ａに接続することによって、コネクタ１９の外部側、すなわち、コネクタ１９と胴１０との間で接続する場合と比較し、胴１０の大きさの中に占めるＬＣＤ１３の表示面の大きさを広げられ、良好な視認性を得ることができる。また、ＬＣＤ１３を所定の大きさとした場合、胴１０の大きさを小さくでき、表示装置２を小型化できる。さらに、信号線５０を配設する際、コネクタ１９の隙間部１９Ａが信号線５０を両側から挟んで、ガイドの役割をすることによって、信号線５０の配設が容易にできる。
【００３４】
（４）　端部駒部材３０に設けた電池収納部３３に電池４を２個収納し、信号線５０によって表示装置２の中の電子回路基板１５と導通することによって、表示装置２の中に時計１を構成する部品の中でも厚い電池４を配置する必要がなく、表示装置２の大きさを小さく、特に厚さを薄くできる。
【００３５】
（５）　表示装置２と端部駒部材３０の間に渡って配置された筒状部材４１の両端部が、表示装置２の胴１０および端部駒部材３０の駒本体３１に孔設された貫通孔１０Ｂ，３１Ｂと、胴１０および駒本体３１の各部材内部側から筒状部材４１に挿入される固定部材４２とで挟持されることによって、筒状部材４１と貫通孔１０Ｂ，３１Ｂとが密着され、表示装置２および端部駒部材３０内部に対する防水性能を十分に高めることができる。具体的には、本実施形態の配線構造を備えた時計では、１０気圧程度の水圧に耐え得る防水性能が確保できる。
【００３６】
（６）　筒状部材４１は、信号線５０とは別部材として加工および取り付けできるので、信号線５０や筒状部材４１の加工の手間が掛からず取付作業を容易にできる。また、筒状部材４１は、ＮＢＲ等のゴム材料から形成され、その両端部のみが固定部材４２と貫通孔１０Ｂ，３１Ｂとで挟持、固定されているため、表示装置２および端部駒部材３０が互いに回動した状態でも、相互間の変形を筒状部材４１の中間部分が変形することで吸収できるので、筒状部材４１がずれたり、外れたりすることがなく、防水性を確保できる。
【００３７】
（７）　表示装置２および端部駒部材３０が互いに回動する際に、当接突部３４Ａ，３４Ｂが対応位置の胴１０に当接することによって、連結方向を０度軸として表面側へ１５度から裏面側へ９０度までに回動角度を規制することができ、この回動角度を超えて回動することを防止できるため、筒状部材４１および信号線５０に作用する応力および変形を所定量以下に抑制できる。さらに、回動角度を表面側へ０度から裏面側へ４５度までに規制すれば、筒状部材４１に作用する応力および変形をより抑制でき、信号線５０をほぼ直線状に形状維持でき、応力が作用しないようにできる。
【００３８】
〔第２実施形態〕
次に、本発明の第２実施形態に係る時計６０について説明する。
第２実施形態に係る時計６０は、前述の第１実施形態に係る時計１と同様の表示装置２およびバンド３を備え、信号線６１の接続方法のみが前述の第１実施形態の場合と相違するものである。以下、信号線６１の接続方法について詳しく説明する。
【００３９】
図６は、表示装置２および端部駒部材３０の連結箇所を拡大して示す要部断面図である。
図６において、筒状部材４１および固定部材４２を挿通した信号線６１は、表示装置２の内部において、導通部材としての電子回路基板１５と隔壁部材としての裏蓋１６との間の間隔部分に導入されている。この信号線６１の端部側には、信号線６１の軸方向と交差し、裏蓋１６の側へ向かう方向へ突出する湾曲部６２が形成され、この湾曲部６２が裏蓋１６の内面に当接されている。さらに、信号線６１の先端は絶縁被覆が除去された導通端６３とされ、この導通端６３が電子回路基板１５上の導通部１５Ａに当接されている。すなわち、信号線６１の一部としての導通端６３が導通部１５Ａに当接され、他の一部としての湾曲部６２の突出側が対向部材としての裏蓋１６の内側面に当接されている。そして、湾曲部６２が湾曲形成されたことによるばね性を利用して、信号線６１の湾曲部６２が電子回路基板１５および裏蓋１６に挟持、保持され、導通端６３が導通部１５Ａに圧接、接続されることによって、電池４と電子回路基板１５の電子回路とが電気的に導通されている。ここで、電子回路基板１５上の導通部１５Ａの信号線６１の軸方向に関する大きさは、導通端６３の大きさに対して十分に大きく形成されている。
【００４０】
前述の本実施形態によれば、前述の（４）〜（７）の効果と合わせて、次のような効果が得られる。
（８）　互いに回動可能に連結された表示装置２と端部駒部材３０との間に渡って配設される信号線６１の端部側に形成された湾曲部６２が、電子回路基板１５および裏蓋１６に挟持、保持されることによって、信号線６１の先端の導通端６３と電子回路基板１５上の導通部１５Ａとが当接した接続状態を維持できるので、信号線６１と電子回路基板１５の電子回路との導通を確実にできる。
【００４１】
（９）　信号線６１の端部側に湾曲部６２を形成し、この湾曲部６２を電子回路基板１５および裏蓋１６の間隔部分に配設するだけでよいので、信号線６１の加工や取り付けに手間が掛からず、電子回路基板１５や裏蓋１６にも特別な加工や補強等が不要なので、簡便な方法で加工や取り付けができる。また、信号線６１の湾曲部６２を挟持する電子回路基板１５および裏蓋１６は互いに所定広さの面を有しており、電子回路基板１５の導通部１５Ａが適宜設定された大きさに形成されることによって、信号線６１がその軸方向にずれた場合でも、導通部１５Ａの広さの範囲内であれば導通端６３が導通部１５Ａから外れることがなく、接触状態を良好に維持できる。さらに、信号線６１を配設する際、導通部１５Ａが信号線６１の導通端６３に対して大きく形成されることによって、信号線６１の位置決めが容易にできる。
【００４２】
（１０）　対向部材として裏蓋１６を利用することによって、対向部材を別途用意する必要がなく、部品点数をさらに削減できるとともに、裏蓋１６を外すことでも信号線６１の点検、交換ができ、メンテナンス性を向上できる。
【００４３】
〔第３実施形態〕
次に、本発明の第３実施形態に係る時計７０について説明する。
第３実施形態に係る時計７０は、前述の第１実施形態に係る時計１と同様の表示装置２およびバンド３を備え、信号線７１の接続方法のみが前述の第１、第２実施形態の場合と相違するものである。以下、信号線７１の接続方法について詳しく説明する。
【００４４】
図７ないし図９には、それぞれ時計７０の断面図、表示装置２および端部駒部材３０の連結箇所を拡大して示す要部断面図、および当該連結箇所の概略構成を示す分解斜視図が示されている。
図７ないし図９において、胴１０および駒本体３１には、互いに対向する端面１０Ａ、３１Ａに設けられた貫通孔１０Ｂ，３１Ｂを通して、各部材内部に渡って信号線７１が配設されている。信号線７１は、銅線のより線に絶縁被覆を施した導電線であり、両端部に信号線７１と略同軸上に導電性を有する金属棒７２がハンダ付けにより接続部７３を介して固定されている。ここで、信号線７１は図中１本として示しているが、２本または３本以上配設されていてもよく、例えば、２本の信号線７１が配設された場合、それぞれがプラスおよびマイナスの導通線として機能する。
【００４５】
信号線７１の両端部側は、表示装置２および端部駒部材３０の内部に設けられた導通端子７５の挟持部７６に金属棒７２を挟持、固定され、導通端子７５に接続されている。表示装置２の内部に設けられた導通端子７５は、電子回路基板１５の電子回路に接続される導通部材として電子回路基板１５にハンダ付け等により固定されている。また、端部駒部材３０の内部に設けられた導通端子７５は、電池収納部３３の図示しないプラスおよびマイナス端子に接続される導通部材として電池収納部３３内に固定されている。導通端子７５は、リン青銅やベリリウム青銅等の金属板材から全体略Ｙ字形に形成され、二股に分かれた間隔部分が挟持部７６とされている。挟持部７６の間隔は、金属棒７２より若干狭く形成されており、金属棒７２を挿入することで導通端子７５の有するばね性によって、金属棒７２を挟持する挟持力が作用するようになっている。
このように両端部が導通端子７５の挟持部７６に挟持された信号線７１によって、電池４と電子回路基板１５の電子回路とが電気的に導通されている。ここで、金属棒７２の長さは、導通端子７５の挟持部７６に挟持される際に、信号線７１の軸方向に関して十分に長く形成されている。
【００４６】
本実施形態の胴１０および駒本体３１の連結部分の取付手順は、前述の第１実施形態の場合と同様であるが、相違する部分について、以下、図８，９を参照して説明する。
先ず、信号線７１を取り付け前の状態の筒状部材４１および固定部材４２に挿通し、信号線７１の表示装置２側の端部に固定された金属棒７２を、電子回路基板１５に固定された導通端子７５の挟持部７６に差し込み、挟持させる。
次に、第１実施形態の場合と同様に筒状部材４１および固定部材４２を取り付けた後、端部駒部材３０側において、信号線７１の端部に固定された金属棒７２を、電池収納部３３内に固定された導通端子７５の挟持部７６に差し込み、挟持させる。
以上の手順によって、電池４と電子回路基板１５の電子回路とを電気的に導通可能となり、連結部分の取り付けが完了する。なお、上述の取付手順は、適宜順序を入れ替えることも可能である。
【００４７】
前述の本実施形態によれば、前述の（４）〜（７）の効果と合わせて、次のような効果が得られる。
（１１）　互いに回動可能に連結された表示装置２と端部駒部材３０との間に渡って配設される信号線７１の両端部に固定された金属棒７２が、表示装置２および端部駒部材３０の内部に固定された導通端子７５の挟持部７６に挟持、固定されることによって、信号線７１と導通端子７５とが接続状態を維持できるので、信号線７１による電池４と電子回路基板１５の電子回路との電気的導通を確実にできる。
【００４８】
（１２）　信号線７１の両端部に固定された金属棒７２を導通端子７５の挟持部７６に挟持されるように配設するだけでよいので、信号線７１の加工や取り付けに手間が掛からず、簡便な方法で加工や取り付けができる。また、端部駒部材３０や信号線７１の交換やメンテナンスのための分解の際に、特別な工具や装置等を必要とせず、容易に交換できる。また、金属棒７２が、信号線７１の軸方向に関して適宜設定した長さに形成されることによって、信号線７１がその軸方向にずれても、金属棒７２の長さの範囲内であれば金属棒７２が導通端子７５の挟持部７６から外れることがなく、接触状態を維持できる。さらに、信号線７１を配設する際、金属棒７２が長く形成されているので、信号線７１の位置決めが容易にできる。
【００４９】
（１３）　信号線７１の端部側に金属棒７２を固定することによって、銅線のより線で形成された信号線７１のみでは、信号線７１自身の剛性が小さく導通端子７５の挟持部７６に配設しづらい場合にも、挟持部７６に金属棒７２を差し込むだけで挟持、固定させることができ、信号線７１をより簡便に取り付けできる。
【００５０】
なお、本発明を実施するための最良の構成、方法などは、以上の記載で開示されているが、本発明は、これに限定されるものではない。
すなわち、本発明は、主に特定の実施の形態に関して特に図示され、かつ、説明されているが、以上述べた実施の形態に対し、本発明の技術的思想および目的の範囲から逸脱することなく、形状、材質、数量、その他の詳細な構成において、当業者が様々な変形を加えることができる。
【００５１】
例えば、電子機器として時計に限らず、脈拍や体温等の測定機器や通信、通話機能を備えた通信機器、カレンダやスケジュール、アドレス帳機能を備えた携帯情報端末機器、電子計算機能を備えた携帯型コンピュータ、音楽や画像、映像再生機能を備えたＡＶ機器、非接触型通信機能を備えた個人情報管理用機器等、に適用でき、電子機器であれば、その機能や形態を問わず、本発明の電子機器を適用できる。
【００５２】
また、前述の各実施形態では、時刻表示部１１は、ディジタル表示によって時刻等を表示するＬＣＤ１３としたが、これに限らず、アナログ表示により時刻等を表示するＬＣＤとしてもよく、また、複数の指針によって時刻等を表示するアナログ式クォーツや電子制御式機械時計の文字板で構成される表示部でもよい。
【００５３】
さらに、前述の各実施形態では、表示装置２の胴１０と端部駒部材３０の駒本体３１との間に信号線５０，６１，７１を配設したが、これに限らず、駒部材同士の間に信号線を配設することもできる。例えば、端部駒部材３０に連結される駒部材に端部駒部材３０と同様の電池収納部を設け電池を並列で接続する場合、駒部材同士の間に前述の各実施形態と同様の信号線の接続構造が適用できる。この際、前述の各実施形態では、駒部材同士は、ばね棒２１により連結される構成としたが、前述の各実施形態における表示装置２と端部駒部材３０との連結に用いた軸材１８による方法と同様の方法とすることで、駒部材同士の連結方向に直交する幅方向中央での信号線を配設できる。
【００５４】
また、前述の各実施形態では、表示装置２の外郭を形成する胴１０、裏蓋１６および駒部材２０は金属製としたが、これに限らず、合成樹脂等の非導電性材料や導電性材料であっても非導電性メッキを施したもの等を適用できる。このようにすることで、各部材と信号線や電池、電子回路基板との間の絶縁が不要となり、部材点数やコストを低減できる。また、固定部材４２についても金属製に限らず、筒状部材を挟持、固定できる強度と剛性を有する材料が適用でき、例えば合成樹脂製であってもよい。
【００５５】
また、前述の各実施形態では、信号線５０，６１，７１を銅線のより線に絶縁被覆を施した導電線としたが、これに限らず、銅箔等の薄膜状導電性材料をフィルム状の基板上に貼り付け回路を形成したフレキシブル電子回路や、電気信号や磁気信号、光信号等の信号を伝達する信号線等とすることができる。その際、電子回路基板や端子との接続部分の構成は、前述の第１実施形態と同様に信号線の端部側に湾曲部を形成し、この湾曲部を導通部材および対向部材で挟持する構成や、前述の第３実施形態と同様に信号線の端部側を導通端子の挟持部で挟持する構成とすることができる。
【００５６】
また、前述の第１実施形態では、信号線５０の湾曲部５１が電子回路基板１５およびＬＣＤ１３の間隔部分に挟持され、また、前述の第２実施形態では、信号線６１の湾曲部６２が電子回路基板１５および裏蓋１６の間隔部分に挟持されるものとしたが、これに限らず、所定広さの面を有し導通部を形成できるものであれば導通部材とすることができ、この導通部材と対向配置できるものであれば対向部材とすることができる。例えば、胴や駒本体に導通部を設けることで、胴や駒本体を導通部材とすることができ、また、所定の大きさを有する金属板材から形成された導通端子を導通部材とすることもできる。
【００５７】
また、導通部材と対向部材との間に信号線の湾曲部を案内する案内部を設けることができる。この案内部は、例えば、湾曲部の突出方向に沿った２枚の板状部材からなり、湾曲部を両側から挟むように配置されたものが適用できる。このような案内部に信号線の湾曲部を挿通することで、信号線の湾曲部が導通部材および対向部材の間隔部分で信号線の軸回りに回転してしまうことを防止でき、信号線と導通部材の導通部との接続を維持できる。
【００５８】
また、前述の第３実施形態では、金属板材から形成された全体略Ｙ字形の導通端子７５を電子回路基板１５にハンダ付け等により固定するものとしたが、これに限らず、導通端子としては合成樹脂製でもよく、その場合挟持部に導電性材料からなる導通部を設けることで導通できる。また、導通端子は、全体略Ｕ字形やＶ字形をしていてもよく、二部材からなる板材や棒材等が対向配置され、その間隔部分を挟持部としたものでもよい。さらに、導電端子は、電子回路基板に固定されていなくてもよく、その際、導電端子としては、胴や裏蓋等に取り付けられ、電子回路基板や電池収納部のプラスやマイナス端子に結線されたものが適用できる。
【００５９】
また、筒状部材４１として、ＮＢＲ（アクリロニトリル‐ブタジエン‐ゴム）を適用したが、これに限らず、水密性を有する材料であれば、ゴムとして天然ゴムやＩＩＲ（ブチルゴム）、ウレタンゴム等が適用でき、その他に合成樹脂等の可撓性や伸縮性を有する材料が適用可能である。また、筒状部材の形状は円筒状に限らず、断面略楕円形や長円形の筒状、断面多角形の角筒状に形成されたものでもよい。
さらに、筒状部材４１が挿入される貫通孔１０Ｂ，３１Ｂの端面１０Ａ，３１Ａ側端縁と、筒状部材４１との間にシリコンオイルを塗布することができる。このようにすることで、筒状部材と貫通孔との間から水がより入りにくくなり、防水性を向上できる。
【００６０】
また、前述の各実施形態では、回動角規制手段として、端部駒部材３０に当接突部３４Ａ，３４Ｂを形成し、表示装置２の側の対応位置と当接することで、各部材の回動角を規制するものとしたが、これに限らず、各部材の両方に当接部を形成し、これら当接部同士が当接するものでもよい。また、端部駒部材３０および表示装置２の間に限らず、上述と同様の角度規制手段が、駒部材同士の互いの回動角度を規制するものであってもよい。
【００６１】
また、前述の各実施形態では、端部駒部材３０に電池４を２つ内蔵したが、これに限らず、２次電池や太陽電池等でもよく、また、複数の駒部材に複数の電池や２次電池、太陽電池等を内蔵または外部に露出して取り付けてもよい。さらに、駒部材に設置できる機器としては、非接触ＩＤ機能付きの通信装置、この通信装置用のアンテナ、プッシュ型や４方向ポインタ、８方向ポインタ、ダイヤル回転式等のスイッチ類、およびＬＣＤやＬＥＤ等で構成された副表示装置等が適用できる。
【００６２】
【発明の効果】
前述のように本発明の電子機器によれば、簡便な加工および取付方法によって配設でき、かつ、信号線を確実に接続し信号伝送を確保できる、本体およびバンド相互間の配線構造を備えることができるという効果がある。
【図面の簡単な説明】
【図１】本発明の第１実施形態を示す斜視図である。
【図２】前記実施形態の正面図である。
【図３】前記実施形態の断面図である。
【図４】前記実施形態の要部を示す断面図である。
【図５】前記実施形態の要部の概略構成を示す分解斜視図である。
【図６】本発明の第２実施形態の要部を示す断面図である。
【図７】本発明の第３実施形態を示す断面図である。
【図８】前記実施形態の要部を示す断面図である。
【図９】前記実施形態の要部の概略構成を示す分解斜視図である。
【符号の説明】
１，６０，７０…時計、３…バンド、１０…本体としての胴、１０Ａ，３１Ａ…端面、１０Ｂ，３１Ｂ…貫通孔、１１…時刻表示手段としての時刻表示部、１３…表示部材としてのＬＣＤ、１５…導通部材としての電子回路基板、１５Ａ…導通部、１６…隔壁部材としての裏蓋、１９…連結部材としてのコネクタ、１９Ａ…隙間部、２０…駒部材、５０，６１，７１…信号線、５１，６２…湾曲部、５２，６３…信号線側導通部としての導通端、７２…金属棒、７５…導通端子、７６…挟持部。
【図１】
2004028835.tif 000003
【図２】
2004028835.tif 000004
【図３】
2004028835.tif 000005
【図４】
2004028835.tif 000006
【図５】
2004028835.tif 000007
【図６】
2004028835.tif 000008
【図７】
2004028835.tif 000009
【図８】
2004028835.tif 000010
【図９】
2004028835.tif 000011